(57)【要約】      （修正有）【課題】より精度が高く使いやすい欠株検知装置を提供する。【解決手段】欠株検知装置は、長手方向に移動するテープ２１に所定間隔で種子４７を保持させる種子供給部４と、種子４７を保持したテープ２１に糸を螺旋状に巻き付ける糸巻き部５とを備えるシードテープを製作するように構成されたシードテープ製作機１に設けられる。欠株検知装置は、種子供給部４と糸巻き部５との間を移動する種子４７を保持したテープ２１を撮影する画像センサ１０２と、画像センサ１０２が撮影した画像に基づいて、種子４７を保持したテープ２１の所定位置に種子４７が存在するか否かを判定する制御回路６６とを備える。【選択図】図１
0003230144.tif 000002
【実用新案登録請求の範囲】
【請求項１】
長手方向に移動するテープに所定間隔で種子を保持させる種子供給部と、前記種子を保持した前記テープに糸を螺旋状に巻き付ける糸巻き部とを備えるシードテープを製作するように構成されたシードテープ製作機に設けられる欠株検知装置であって、
前記種子供給部と前記糸巻き部との間を移動する前記種子を保持したテープを撮影する画像センサと、
前記画像センサが撮影した画像に基づいて、前記種子を保持したテープの所定位置に前記種子が存在するか否かを判定する制御回路と
を備える欠株検知装置。
【請求項２】
前記種子を保持したテープを挟んで前記画像センサと対向して配置された、前記種子を保持したテープに光を照射する照明をさらに備える、請求項１に記載の欠株検知装置。
【請求項３】
前記画像センサを検出位置に固定するように構成された取付部であって、前記糸巻き部の糸ホルダの交換時に当該糸ホルダと干渉する位置から前記画像センサを一時的に退避させることができるように構成された取付部をさらに備える、請求項１又は２に記載の欠株検知装置。
【請求項４】
前記取付部は、前記画像センサが固定される取付金具と、前記取付金具を回転可能に支持するヒンジと、前記画像センサを前記検出位置に固定するために前記取付金具と接触するように配置されたマグネットとを含む、請求項３に記載の欠株検知装置。
【請求項５】
前記制御回路は、前記所定位置に前記種子が存在しないと判定したとき、前記シードテープ製作機による前記シードテープの製作を停止させる、請求項１乃至４のいずれかに記載の欠株検知装置。
【請求項６】
警報ブザー又は警報ランプをさらに備え、
前記制御回路は、前記所定位置に前記種子が存在しないと判定したとき、前記警報ブザーを鳴らす、又は前記警報ランプを点灯させる、
請求項１乃至５のいずれかに記載の欠株検知装置。
【請求項７】
前記画像センサは、前記種子を保持したテープの幅に応じた範囲を撮影するように構成されている、請求項１乃至６のいずれかに記載の欠株検知装置。
【請求項８】
前記制御回路は、前記テープの進行距離を取得し、前記進行距離に基づいて前記種子を保持したテープの所定位置に前記種子が存在するか否かを判定する、請求項１乃至７のいずれかに記載の欠株検知装置。
【請求項９】
前記シードテープ製作機に設けられた前記テープを移動させる駆動ローラの回転数を計測するロータリーエンコーダーをさらに備え、
前記制御回路は、前記ロータリーエンコーダーの出力に基づいて前記進行距離を算出する、
請求項８に記載の欠株検知装置。
【請求項１０】
前記所定位置は、前記種子を保持したテープにおいて所定間隔に設けられた範囲である、請求項８又は９に記載の欠株検知装置。
【請求項１１】
前記制御回路は、前記種子を保持したテープにおける隣り合う種子と種子との間の距離を取得し、当該距離が所定範囲から外れている回数が所定回数を超えたとき、前記シードテープ製作機による前記シードテープの製作を停止させる、請求項８乃至１０のいずれかに記載の欠株検知装置。
【請求項１２】
前記制御回路は、前記種子を保持したテープにおける隣り合う種子と種子との間の距離を取得し、当該距離の情報を出力する、請求項８乃至１１のいずれかに記載の欠株検知装置。
【請求項１３】
前記制御回路は、前記種子を保持したテープの所定位置に前記種子が存在しなかった数をカウントし、一本の前記シードテープにおける欠株数又は欠株率の情報を出力する、請求項１乃至１２のいずれかに記載の欠株検知装置。
【請求項１４】
前記制御回路は、画像に基づいて、前記種子を保持したテープの所定位置に前記種子がいくつ存在するかを判定する、請求項１乃至１３のいずれかに記載の欠株検知装置。
【請求項１５】
請求項１乃至１４のいずれかに記載の欠株検知装置と、
前記種子供給部と、
前記糸巻き部と
を備えるシードテープ製作機。
【考案の詳細な説明】
【技術分野】
【０００１】
本考案は、シードテープ製作機及びその欠株検知装置に関する。
【背景技術】
【０００２】
均等に播種するために用いられる、テープの中に種を一定間隔で挟み込んだシードテープが知られている。このようなシードテープの製作機と、その製作機において種が一定間隔にないことを検出する欠株検知装置とに関する技術が例えば特許文献１に開示されている。この文献には、反射型光電センサとガイドローラと制御回路とを有する欠株検知装置と、透過型光電センサと制御回路とを有する欠株検知装置とが開示されている。反射型光電センサを有する欠株検知装置では、テープがガイドローラに接触している部位に反射型光電センサの発光部からの光が照射され、その反射光が反射型光電センサの受光部に入射する。透過型光電センサを有する欠株検知装置では、テープに透過型光電センサの発光部からの光が照射され、その透過光が透過型光電センサの受光部に入射する。いずれの場合も、種子が無い場合とある場合との受光量の変化が予め設定されており、予め設定した時間ごとの受光量に基づいて、種子の有無が検知される。
【先行技術文献】
【特許文献】
【０００３】
【特許文献１】実用新案登録第３１６７１２４号公報
【考案の概要】
【考案が解決しようとする課題】
【０００４】
特許文献１に開示されている欠株検知装置では、進行するテープ位置の変動、種子の形状又は大きさなどの条件によっては検知が困難になることがある。本考案は、欠株検知装置をより精度が高く使いやすいものとすることを目的とする。
【課題を解決するための手段】
【０００５】
本考案の一態様によれば、欠株検知装置は、長手方向に移動するテープに所定間隔で種子を保持させる種子供給部と、前記種子を保持した前記テープに糸を螺旋状に巻き付ける糸巻き部とを備えるシードテープを製作するように構成されたシードテープ製作機に設けられる。欠株検知装置は、前記種子供給部と前記糸巻き部との間を移動する前記種子を保持したテープを撮影する画像センサと、前記画像センサが撮影した画像に基づいて、前記種子を保持したテープの所定位置に前記種子が存在するか否かを判定する制御回路とを備える。
【考案の効果】
【０００６】
本考案によれば、欠株検知装置をより精度が高く使いやすいものとすることができる。
【図面の簡単な説明】
【０００７】
【図１】図１は、一実施形態に係るシードテープ製作機の構成例の概略を示す図である。
【図２】図２は、一実施形態に係るシードテープ製作機の欠株検知部の構成例の概略を示す図である。
【図３】図３は、一実施形態に係るシードテープ製作機の画像センサの取付部の構成例の概略を示す図である。
【図４】図４は、一実施形態に係るシードテープ製作機の欠株検知部の動作について説明するための概略図であり、照明と画像センサとの間に種子がない場合の、（ａ）は平面図、（ｂ）は側面図である。
【図５】図５は、一実施形態に係るシードテープ製作機の欠株検知部の動作について説明するための概略図であり、照明と画像センサとの間に種子がある場合の、（ａ）は平面図、（ｂ）は側面図である。
【図６】図６は、一実施形態に係るシードテープ製作機における糸ホルダの交換について説明するための概略図であり、（ａ）は画像センサが検出位置にある場合を示し、（ｂ）は画像センサが一時的に検出位置から移動した場合を示す図である。
【考案を実施するための形態】
【０００８】
本考案の一実施形態について図面を参照して説明する。本実施形態は、一定間隔で種が配置されたテープであるシードテープを製作するシードテープ製作機に関する。特に、本実施形態のシードテープ製作機は、テープ上の所定位置にあるべき種がない状態である欠株を検知する欠株検知装置を備え、欠株がないシードテープを製作できる。本実施形態の欠株検知装置は、画像センサと制御回路とを備える。
【０００９】
［シードテープ製作機の構成］
図１は、本実施形態に係るシードテープ製作機１の構成例の概略を示す図である。シードテープ製作機１は、テープ保持部２と、テープ折り部３と、種子供給部４と、糸巻き部５と、テープ繰出し部６と、巻取り部７と、欠株検知部１０とを備えている。テープ保持部２は、例えば不織布製の巻かれたテープ２１を有し、テープ２１をシードテープ製作機１に連続的に供給する。シードテープ製作機１において、テープ２１は長手方向に連続的に進行する。テープ折り部３は、テープ保持部２から繰り出されるテープ２１を、その断面がＶ字形になるように折り曲げる。種子供給部４は、Ｖ字形に折り曲げられて繰り出されてくるテープ２１のＶ字の底部に、所定間隔で種子４７を落とす。その結果、テープ２１に種子が所定間隔で保持される。糸巻き部５は、種子が保持されたテープ２１に、糸を右回転及び左回転にそれぞれ巻き付ける。このようにして、テープ２１内の種子が固定され、種子の位置ずれや落下が生じないシードテープが作られる。テープ繰出し部６は、テープ２１を駆動ローラ６１に巻き付けて引っ張ることによりテープをテープ保持部２より繰り出し移動させる。巻取り部７は、作られたシードテープをリール７４に巻き取る。欠株検知部１０は、テープ２１上の所定位置にあるべき種がない状態である欠株を検知する。
【００１０】
種子供給部４は、種子４７を溜めて置くための種子ボックス４１と、種子４７を所定の位置まで搬送するドラム４２と、ドラム４２を駆動するモータ４３とを有する。ドラム４２は中空の円柱構造であり、その外周面の中央に沿って等間隔で穴が開けられている。ドラム４２の内部には、テープ２１に近接する最下部においてこの穴を遮蔽するように構成されたローラ４５が設けられている。ドラム４２には真空ポンプが接続されており、ドラム４２の内部は負圧となるように制御される。
【００１１】
テープ繰出し部６は、駆動ローラ６１と、モータ６２と、ギヤユニット６３とを備える。モータ６２の駆動力は、ギヤユニット６３を介して駆動ローラ６１に伝達される。テープ繰出し部６は、さらに、駆動ローラ６１の回転軸に固定されたギヤ６７と、このギヤ６７と噛み合うギヤ６８と、それらを介して駆動ローラ６１の回転量を計測するロータリーエンコーダー６９とを備える。
【００１２】
糸巻き部５には、二つの糸ホルダ５０がテープ進行方向に対して直列に配置されている。テープ繰出し部６のモータ６２の駆動力は、ギヤユニット６３を介して糸ホルダ５０の駆動部５２に伝達される。駆動部５２は、ギヤ、プーリ、ベルトなどを有している。駆動部５２によって、糸ホルダ５０の一方はテープ２１の周りで右回転し、糸ホルダ５０の他方はテープ２１の周りで左回転するように構成されている。その結果、糸ホルダ５０に巻かれている糸は、テープ２１の周りに、右回転及び左回転にらせん状に巻き付けられる。
【００１３】
巻取り部７は、リールホルダ７１とモータ７２とベルト７３とを備える。モータ７２の駆動力はベルト７３を介してリールホルダ７１に伝達される。リールホルダ７１にはリール７４が配置される。リール７４の回転によって、製作されたシードテープはリール７４に巻き取られる。
【００１４】
欠株検知部１０は、種子供給部４と糸巻き部５の間に配置されている。図２は、本実施形態に係るシードテープ製作機１の欠株検知部１０の構成の概略を示す図である。欠株検知部１０は、照明１０１と画像センサ１０２とを備える。照明１０１と画像センサ１０２とは、種子供給部４と糸巻き部５の間のテープ２１が通過する位置で、テープ２１を挟むようにして互いに対向して配置されている。照明１０１は、テープ２１に光を照射する。画像センサ１０２は、照明１０１で照明される領域であって、例えば縦１５ｍｍ、横１５ｍｍの範囲を撮影する。画像センサ１０２は、例えばテープ２１の幅に応じた範囲を撮影するように構成されている。検出対象である種子４７は、Ｖ字形に折られたテープ２１の間に配置されているので、露出していない。本実施形態のように、裏から照明して透過光を撮影することで、テープ２１に挟まれた種子４７がくっきりと撮影され得る。
【００１５】
シードテープ製作機１は、シードテープ製作機１の各部の動作を制御する制御回路６６を備える。制御回路６６は、種子供給部４のモータ４３の回転数と、テープ繰出し部６のモータ６２の回転数とを制御する。
【００１６】
また、制御回路６６は、テープ繰出し部６のロータリーエンコーダー６９の出力を取得する。テープ２１は駆動ローラ６１の外周に密着して進むため、制御回路６６は、駆動ローラ６１の円周長さと、ロータリーエンコーダー６９で取得された駆動ローラ６１の回転数とに基づいて、テープ２１の進行距離を算出することができる。また、制御回路６６は、画像センサ１０２の出力を取得する。制御回路６６は、画像センサ１０２の出力に基づいて、テープ２１内の種子４７を検知する。
【００１７】
制御回路６６は、算出したテープ２１の進行距離と、検知したテープ２１内の種子４７とに基づいて、欠株の有無を判定する。すなわち、制御回路６６は、テープ２１の予め定めた設定距離内に種子４７が検知された場合は正常（欠株無し）と判断し、設定距離内に種子４７が検知されなかった場合は異常（欠株有り）と判断する。
【００１８】
制御回路６６は、異常（欠株有り）と判断したとき、テープ繰出し部６のモータ６２及び種子供給部４のモータ４３を停止させてシードテープ製作機１を停止させる。また、制御回路６６には、警報ブザー１０３と警報ランプ１０４とが接続されている。制御回路６６は、異常（欠株有り）と判断したとき、警報ブザー１０３を鳴らし、異常を知らせる警報ランプ１０４を点灯させる。
【００１９】
図３は、一実施形態に係るシードテープ製作機１の画像センサ１０２の取付部１１０の構成例の概略を示す図である。図３（ａ）はシードテープの製作時のこの取付部１１０の状態を示し、図３（ｂ）は糸ホルダ５０の交換時のこの取付部１１０の状態を示す。この取付部１１０は、ヒンジ１０６を備える。ヒンジ１０６の一面は、シードテープ製作機１に対して固定されている。ヒンジ１０６のもう一面には、画像センサ１０２が固定された例えば鉄製の取付金具１０５が固定されている。取付金具１０５に固定された画像センサ１０２は、ヒンジ１０６の回転部を中心に矢印１０８の方向に回転移動可能である。シードテープの製作時には、画像センサ１０２が固定された取付金具１０５は、シードテープ製作機１に対して固定されたマグネット１０７によって、シードテープ製作機１に対して固定される。このようにして、取付部１１０は、画像センサ１０２を、テープ２１内の種子４７を検出できる検出位置に固定する。また、取付部１１０は、糸ホルダ５０の交換時には糸ホルダ５０と干渉する位置から画像センサ１０２を一時的に退避させることができる。
【００２０】
［シードテープ製作機の動作］
シードテープ製作機１の動作について説明する。テープ繰出し部６のモータ６２が回転すると、駆動ローラ６１が回転してテープ２１が引っ張られる。このため、テープ保持部２に巻かれているテープ２１は繰り出される。テープ２１は、種子供給部４の直前に設置されたテープ折り部３によってＶ字状に折られて、種子供給部４に送られる。
【００２１】
種子供給部４のドラム４２は、内部が負圧の状態で回転する。種子ボックス４１内の種子４７は、ドラム４２の外周面に所定間隔で開けられているドラム４２の穴に吸着される。種子４７は、ドラム４２の回転に伴って、テープ２１に近接する位置、すなわち、ドラム４２の最下点まで運ばれる。ここで、ドラム４２内のローラ４５が穴を塞ぐため、穴に吸着されていた種子４７は、Ｖ字状に折られたテープ２１内に落下する。テープ２１が所定速度で進行し、ドラム４２が所定速度で回転するので、種子４７は、テープ２１内に所定間隔で収容されることになる。
【００２２】
このようにして種子を収容したテープ２１は、糸ホルダ５０の中央の貫通孔を通ってテープ繰出し部６の駆動ローラ６１に引かれる。糸ホルダ５０では、螺旋状に右回転及び左回転に糸が巻かれ、これによって種子４７はテープ２１内に固定される。このようにして種子４７が所定間隔で固定されたシードテープは完成し、このシードテープは、駆動ローラ６１を介して、巻取り部７に装着されたリール７４に巻き取られる。
【００２３】
このとき、欠株検知部１０を用いて、種子供給部４によってテープ２１に所定間隔で種子４７が配置されたか否かが判定される。この判定について、図４及び図５を参照して説明する。図４は、照明１０１と画像センサ１０２との間に種子４７がない場合を示す図であり、（ａ）は平面図、（ｂ）は側面図を示す。図５は、照明１０１と画像センサ１０２との間に種子４７がある場合を示す図であり、（ａ）は平面図、（ｂ）は側面図を示す。
【００２４】
照明１０１から照射された光は、テープ２１を透過し、縦１５ｍｍ、横１５ｍｍの範囲においてその透過光が画像センサ１０２に入射する。図４に示すように、この範囲に種子４７がない場合、画像センサ１０２に入射する透過光は透過が阻害されず、画像センサ１０２は、透過光のみを撮影する。一方、図５に示すように、この範囲に種子４７がある場合、画像センサ１０２に入射する照明１０１の光は種子４７により透過が阻害され、画像センサ１０２は、テープ内の種子４７の影を撮影する。この種子の部分の面積が検知されることにより、種子の有無が検知され得る。
【００２５】
制御回路６６は、ロータリーエンコーダー６９の出力を用いて算出したテープ２１の進行距離と、検知したテープ２１内の種子４７とに基づいて、欠株の有無を判定する。すなわち、制御回路６６は、テープ２１の予め定めた設定距離内に種子４７が検知された場合は正常（欠株無し）と判断し、設定距離内に種子４７が検知されなかった場合は異常（欠株有り）と判断する。
【００２６】
制御回路６６は、異常（欠株有り）と判断したとき、テープ繰出し部６のモータ６２及び種子供給部４のモータ４３を停止させてシードテープ製作機１を停止させ、シードテープの製作を停止させる。また、制御回路６６は、異常（欠株有り）と判断したとき、異常を知らせる警報ブザー１０３を鳴らし、警報ランプ１０４を点灯させる。なお、制御回路６６は、シードテープ製作機１を停止させること、警報ブザー１０３を鳴らすこと、警報ランプ１０４を点灯させることのいずれか一つ又は二つを行ってもよい。
【００２７】
なお、画像に基づいて判断されるのは、種子の有無のみならず、例えば、画像中の種の映像の面積、形状、パターン、エッジ等の検出に基づいて、１か所に含まれる種子の数が特定されてもよい。例えば、１か所に２粒以上の種子が含まれているとき、シードテープ製作機１が停止させられてもよい。また、制御回路６６は、欠株が一つでは異常と判定せず、欠株が二つ連続したときに異常と判定するなど、判定条件は適宜に変更されてもよい。
【００２８】
また、本実施形態では、所定間隔で種子４７があるか否かが判定される例を示したが、これに限らない。種子４７は、一般には等間隔に配置されるが、等間隔でない所定位置に配置されてもよい。本実施形態の欠株検知装置は、目標とする所定位置に種子４７があるか否かを判定できればよい。また、テープ２１における位置の情報を取得しなくても、例えば所定の時間間隔で種子が検出されれば正常であると判定されてもよい。ただし、テープ２１の進行速度が変化する場合や変更される場合などもあるため、テープ２１における位置の情報が得られることが好ましい。
【００２９】
また、制御回路６６は、所定位置に種子４７が存在しなかった数をカウントし、一本のシードテープにおける欠株数又は欠株率を出力するように構成されていてもよい。また、制御回路６６は、テープ２１における隣り合う種子４７と種子４７との間の距離を取得し、当該距離が所定範囲から外れている回数をカウントし、カウント結果を出力するように構成されていてもよい。また、制御回路６６は、隣り合う種子４７と種子４７との間の距離を取得し、当該距離を出力してもよい。これらの出力される情報は、シードテープの品質を表す情報となり得る。制御回路６６は、これらの品質が所定範囲から外れている場合に、シードテープ製作機１を停止させるように構成されていてもよい。
【００３０】
本実施形態では、欠株検知部１０に画像センサ１０２を用いている。画像センサ１０２に代えて欠株検知部１０に光電センサを用いることも考えられる。光電センサで種子を検知する場合、例えば光線を検知する種子の大きさ以下に絞る必要があり、光線の直径は例えば１ｍｍ程度とする必要がある。しかしながら、シードテープ製作機では動作前の調整不足等により、テープの位置が上下方向に２〜３ｍｍ程度移動することがある。このためテープの位置が上下方向に２〜３ｍｍ程度移動すると、これに伴って種子も上下方向に移動し、光電センサの光の照射位置から離れ、光電センサは種子を検知することができなくなる。また、小さい種子を検知する場合、又は、厚さの薄い種子を検知する場合、種子が有るときと無いときとで受光量の差が小さく、種子の検知が難しくなる。
【００３１】
これに対して本実施形態の欠株検知部１０では、画像センサ１０２の検出範囲が例えば縦１５ｍｍ、横１５ｍｍであるため、テープ２１の位置が上下方向に２〜３ｍｍ移動した場合でも種子４７を確実に検知することができる。また種子４７の面積に基づいて種子４７の有無が検知されるため、種子４７の大きさにばらつきがある場合や、厚さの薄い種子４７であっても、確実に検知される。
【００３２】
本実施形態では、ロータリーエンコーダー６９の出力を用いてテープ２１の進行量を算出し、これを用いた判定が行われている。これに対して、テープ２１の進行速度に応じた予め定めた設定時間内にテープ内の種子を検知した場合には正常と判断し、予め定めた設定時間内にテープ内の種子を検知しなかった場合には、それは種子が入っていなかったためとして異常と判断するという判断方法も考えられる。しかしながら、この場合、テープの進行速度を速くした場合など諸条件を変更すると、正しく異常を検知できなくなる。
【００３３】
本実施形態では、制御回路６６は、ロータリーエンコーダー６９の出力も用いてテープ２１の進行距離を算出し、算出した進行距離に基づいて異常の有無を判断する。画像センサ１０２が予め定めた設定距離内にテープ２１内の種子４７を検知した場合には、制御回路６６は、正常（欠株無し）であると判断する。予め定めた設定距離内にテープ２１内の種子４７を検知しなかった場合には、制御回路６６は、異常（欠株有り）であると判断する。このため、制御回路６６は、テープの進行速度が変化した場合でも、異常の有無を正しく判断することができる。
【００３４】
［糸ホルダの交換］
シードテープ製作機１における糸ホルダ５０の交換について説明する。図６は、シードテープ製作機１における糸ホルダ５０の交換について説明するための概略図であり、（ａ）は画像センサ１０２が検出位置にある場合を示し、（ｂ）は画像センサ１０２が一時的に検出位置から移動した場合を示す。
【００３５】
糸ホルダ５０の糸を使い終わって糸がなくなり、糸ホルダ５０を取り外して交換する状況を考える。このとき、糸巻き部５から糸ホルダ５０を取外すため、糸ホルダ５０を矢印５０１の方向に移動させる必要がある。ここで、画像センサ１０２は、種子供給部４と糸巻き部５との間の狭い場所に配置する必要があり、画像センサ１０２は、糸巻き部５の側近に配置されることになる。このため、このままでは、糸ホルダ５０は、固定された画像センサ１０２と干渉し、取外すことができない。
【００３６】
そこで本実施形態に係る画像センサ１０２は、ヒンジ１０６の回転部を中心に一時的に矢印１０８方向に回転移動することができるように構成されている。画像センサ１０２が一時的に退避することで、糸ホルダ５０は交換可能となっている。糸ホルダ５０の交換後、画像センサ１０２は再びヒンジ１０６の回転部を中心に回転移動し、元の検出位置に戻される。検出位置においては、画像センサ１０２は、マグネット１０７で固定される。
【００３７】
このような構成によって、糸ホルダ５０の交換にあたって、画像センサ１０２を固定しているねじを緩めて取り外したりする必要がなく、したがって、糸ホルダ５０の交換後に画像センサ１０２の位置を調整しなおす必要もない。したがって、糸ホルダ５０の交換は容易であり、交換に掛かる作業時間も短くて済む。
【００３８】
以上のとおり、本実施形態に係るシードテープ製作機１は、テープ２１の位置の変化、テープ２１の速度、種子４７の形状や大きさなどに影響されることなく、確実に欠株を検知可能である。また、本実施形態に係るシードテープ製作機１では、糸ホルダ５０の交換作業も容易である。
【００３９】
以上、本考案について、好ましい実施形態を示して説明したが、本考案は、前述した実施形態にのみ限定されるものではなく、本考案の範囲で種々の変更実施が可能であることはいうまでもない。
【符号の説明】
【００４０】
１      シードテープ製作機
２      テープ保持部
２１    テープ
３      テープ折り部
４      種子供給部
４１    種子ボックス
４２    ドラム
４３    モータ
４５    ローラ
４７    種子
５      糸巻き部
５０    糸ホルダ
５２    駆動部
６      テープ繰出し部
６１    駆動ローラ
６２    モータ
６３    ギヤユニット
６６    制御回路
６７    ギヤ
６８    ギヤ
６９    ロータリーエンコーダー
７      巻取り部
７１    リールホルダ
７２    モータ
７３    ベルト
７４    リール
１０    欠株検知部
１０１  照明
１０２  画像センサ
１０３  警報ブザー
１０４  警報ランプ
１０５  取付金具
１０６  ヒンジ
１０７  マグネット
１１０  取付部
【図１】
0003230144.tif 000003
【図２】
0003230144.tif 000004
【図３】
0003230144.tif 000005
【図４】
0003230144.tif 000006
【図５】
0003230144.tif 000007
【図６】
0003230144.tif 000008